(57)【要約】      （修正有）【課題】被貫通部材を深く掘削でき、配管の極近くを綺麗に掘削することのできる配管補修用掘削具と、その掘削具を使用することにより配管補修後における掘削箇所の補修を短時間のうちに容易に行うことのできる配管補修方法を提供する。【解決手段】配管の中心軸に沿って移動可能で、配管の中心軸周りに回転可能な状態で外嵌する把持部６を有する掘削具本体４と、配管の被貫通部材を掘削する掘削具本体４に取り付けられる掘削刃１０と、掘削刃１０を回転駆動する駆動手段１３を備えて、配管の周囲に位置する被貫通部材を掘削するように構成されている配管補修用掘削具で、掘削刃１０が、その先端と先端周部に掘削部１２を有し、その長手方向軸心を回転中心軸Ｌとして回転する棒状の掘削刃１０で構成されている配管補修用掘削具１とその掘削具１を使用する。【選択図】図１
2007223165.tif 000002
【特許請求の範囲】
【請求項１】
配管に対してその配管の中心軸に沿って移動可能で、かつ、配管の中心軸周りに回転可能な状態で外嵌する把持部を有する掘削具本体と、前記配管が貫通する被貫通部材を掘削するために掘削具本体に取り付けられる掘削刃と、その掘削刃を回転駆動する駆動手段を備え、前記駆動手段による掘削刃の回転駆動と掘削具本体の配管の中心軸に対する回転および移動によって、前記配管の周囲に位置する前記被貫通部材を掘削するように構成されている配管補修用掘削具であって、
前記掘削刃が、その先端と先端周部に掘削部を有し、その長手方向軸心を回転中心軸として回転する棒状の掘削刃で構成されている配管補修用掘削具。
【請求項２】
前記棒状の掘削刃が、前記掘削具本体の把持部を配管に外嵌した状態で、その回転中心軸が前記配管の中心軸とほぼ平行になるように構成されている請求項１に記載の配管補修用掘削具。
【請求項３】
前記駆動手段が、前記掘削具本体と別体に構成されて、前記棒状の掘削刃に対してフレキシブルな回転力伝達部材を介して連動連結されている請求項１または２に記載の配管補修用掘削具。
【請求項４】
請求項１〜３のいずれか１項に記載の配管補修用掘削具を使用して配管を補修する配管補修方法であって、
前記掘削具により補修対象となる配管の周囲に位置する被貫通部材を掘削し、前記配管周囲の被貫通部材を除去して配管の補修対象部位を露出させ、その配管の補修対象部位を補修材で被覆した後、その配管と前記被貫通部材との間の隙間に充填材を充填して補修する配管補修方法。
【請求項５】
前記充填材として水膨潤ゴムを使用し、前記配管の周りに樹脂製化粧板を外嵌して前記水膨潤ゴムの表面を覆って補修する請求項４に記載の配管補修方法。
【発明の詳細な説明】
【技術分野】
【０００１】
本発明は、配管に対してその配管の中心軸に沿って移動可能で、かつ、配管の中心軸周りに回転可能な状態で外嵌する把持部を有する掘削具本体と、前記配管が貫通する被貫通部材を掘削するために掘削具本体に取り付けられる掘削刃と、その掘削刃を回転駆動する駆動手段を備え、前記駆動手段による掘削刃の回転駆動と掘削具本体の配管の中心軸に対する回転および移動によって、前記配管の周囲に位置する前記被貫通部材を掘削するように構成されている配管補修用掘削具とその掘削具を使用する配管補修方法に関する。
【背景技術】
【０００２】
このような掘削具としては、従来、掘削刃が、その円周縁部に掘削部を有する円盤状の掘削刃で構成され、円盤の中心から延出する軸を回転中心軸として回転させて、円周縁部の掘削部により配管の周囲に位置する被貫通部材を掘削するように構成したものが知られており、また、その掘削具を使用して配管を補修する配管補修方法も知られている（例えば、特許文献１参照）。
【０００３】
【特許文献１】特開２００４−２１８７７４号公報
【発明の開示】
【発明が解決しようとする課題】
【０００４】
しかし、上述した従来の掘削具では、掘削刃が円盤状であるため、配管に近接して配管の極近くに位置する被貫通部材のみを綺麗に掘削するのがむずかしく、特に、配管の極近くの被貫通部材を深く綺麗に掘削するのがむずかしいという問題があった。
したがって、従来の掘削具を使用して被貫通部材を掘削すると、どうしても配管の周囲を大きく掘削することになり、特に、深く掘削する必要がある場合には、その傾向が顕著で、そのため、配管補修後において、掘削した箇所を補修するのに多くの時間と労力を要するという欠点があった。
【０００５】
本発明は、このような従来の問題点に着目したもので、その目的は、たとえ被貫通部材を深く掘削する必要がある場合でも、配管の極近くを綺麗に掘削することのできる配管補修用掘削具を提供し、さらに、その掘削具を使用することによって配管補修後における掘削箇所の補修を短時間のうちに容易に行うことのできる配管補修方法を提供することにある。
【課題を解決するための手段】
【０００６】
本発明の第１の特徴構成は、配管に対してその配管の中心軸に沿って移動可能で、かつ、配管の中心軸周りに回転可能な状態で外嵌する把持部を有する掘削具本体と、前記配管が貫通する被貫通部材を掘削するために掘削具本体に取り付けられる掘削刃と、その掘削刃を回転駆動する駆動手段を備え、前記駆動手段による掘削刃の回転駆動と掘削具本体の配管の中心軸に対する回転および移動によって、前記配管の周囲に位置する前記被貫通部材を掘削するように構成されている配管補修用掘削具であって、前記掘削刃が、その先端と先端周部に掘削部を有し、その長手方向軸心を回転中心軸として回転する棒状の掘削刃で構成されているところにある。
【０００７】
本発明の第１の特徴構成によれば、被貫通部材を掘削するための掘削刃が、その先端と先端周部に掘削部を有し、その長手方向軸心を回転中心軸として回転する棒状の掘削刃で構成されているので、例えば、その棒状の掘削刃の回転中心軸が、配管の中心軸とほぼ平行になるように、または、掘削刃の先端側が配管の中心軸に近接する方向に多少傾斜させて掘削具本体に取り付けることによって、掘削刃の先端を配管の極近くにまで近接させることができる。
そして、その掘削刃は先端と先端周部に掘削部を有しているので、駆動手段による掘削刃の回転に伴って、配管の極近くに位置する被貫通部材のみを綺麗に掘削することができるとともに、被貫通部材を深く綺麗に掘削することも可能となる。
【０００８】
本発明の第２の特徴構成は、第１の特徴構成を有する配管補修用掘削具において、前記棒状の掘削刃が、前記掘削具本体の把持部を配管に外嵌した状態で、その回転中心軸が前記配管の中心軸とほぼ平行になるように構成されているところにある。
【０００９】
本発明の第２の特徴構成によれば、棒状の掘削刃が、掘削具本体の把持部を配管に外嵌した状態で、その回転中心軸が配管の中心軸とほぼ平行になるように構成されているので、たとえ被貫通部材を深く掘削しても、掘削刃の先端が誤って配管を傷つけるようなことはなく、したがって、配管の極近くに位置する被貫通部材のみを深く綺麗に掘削することが容易となる。
【００１０】
本発明の第３の特徴構成は、第１または第２の特徴構成を有する配管補修用掘削具において、前記駆動手段が、前記掘削具本体と別体に構成されて、前記棒状の掘削刃に対してフレキシブルな回転力伝達部材を介して連動連結されているところにある。
【００１１】
本発明の第３の特徴構成によれば、掘削刃を回転駆動する駆動手段、換言すると、比較的大きくて重量のある駆動手段が、掘削具本体と別体に構成されているので、掘削具本体は比較的小型で軽量となり、配管の極近くまで近接させることができるとともに、たとえひとりの作業者であっても、被貫通部材の掘削作業を容易に行うことができる。
そして、その駆動手段が、棒状の掘削刃に対してフレキシブルな回転力伝達部材を介して連動連結されているので、掘削刃は駆動手段によって確実に回転駆動され、被貫通部材を所望どおりに掘削することができる。
【００１２】
本発明の第４の特徴構成は、第１〜第３のいずれかの特徴構成を有する配管補修用掘削具を使用して配管を補修する配管補修方法であって、前記掘削具により補修対象となる配管の周囲に位置する被貫通部材を掘削し、前記配管周囲の被貫通部材を除去して配管の補修対象部位を露出させ、その配管の補修対象部位を補修材で被覆した後、その配管と前記被貫通部材との間の隙間に充填材を充填して補修するところにある。
【００１３】
本発明の第４の特徴構成によれば、上述した配管補修用掘削具を使用し、その掘削具により補修対象となる配管の周囲に位置する被貫通部材を掘削し、配管周囲の被貫通部材を除去して配管の補修対象部位を露出させるので、例えば、配管周囲の被貫通部材の掘削量を必要最小限に抑えて補修対象部位を露出させることにより、補修対象部位の露出工程までを短時間のうちに容易に行うことができる。
そして、配管の補修対象部位を補修材で被覆した後、その配管と被貫通部材との間の隙間に充填材を充填して補修するのであるが、その充填材の量も必要最小限に抑えることができ、充填材による充填作業を短時間のうちに行うことができる。
【００１４】
本発明の第５の特徴構成は、第４の特徴構成を有する配管補修方法において、前記充填材として水膨潤ゴムを使用し、前記配管の周りに樹脂製化粧板を外嵌して前記水膨潤ゴムの表面を覆って補修するところにある。
【００１５】
本発明の第５の特徴構成によれば、充填材として水膨潤ゴムを使用するので、配管の補修作業が完了した後においては、たとえ配管と被貫通部材との間に水などが入り込もうとしても、水膨潤ゴムの膨潤によって水などの侵入は阻止される。
したがって、たとえ浴室の床や壁を貫通する配管の補修であっても、配管周面への水の浸入を確実に阻止することができ、かつ、配管の周りに樹脂製化粧板を外嵌して水膨潤ゴムの表面を覆って補修するので、外観的にも美麗に補修することができる。
【発明を実施するための最良の形態】
【００１６】
本発明による配管補修用掘削具とその掘削具を使用する配管補修方法につき、その実施の形態を図面に基づいて説明する。
配管補修用の掘削具１は、図１に分解して示すように、一対の半割り部材２，３からなる掘削具本体４を備え、一方の半割り部材２には、複数のボルト挿通孔２ａが設けられ、他方の半割り部材３には、ボルト挿通孔２ａに対応して複数のねじ孔３ａが設けられ、ボルト５をボルト挿通孔２ａに挿通してねじ孔３ａに螺合することにより、一対の半割り部材２，３が互いに連結されるように構成されている。
各半割り部材２，３の内面は、平面視においてほぼ半円形に形成され、両半割り部材２，３を互いに連結すると、その中央部にほぼ円形の空間が形成されて、後に説明するように、補修対象となる配管Ｐに外嵌する把持部６として機能するように構成されている。
【００１７】
一方の半割り部材２には、その両端部近くにねじ孔７ａを有する突起７が外側へ向けてそれぞれ突設され、両突起７間の中央部には、掘削刃用の挿入孔８が設けられ、他方の半割り部材３にも、同じ突起７と挿入孔８が設けられている。
そして、両半割り部材２，３を互いに連結した状態で、合計４つの突起７のねじ孔７ａのいずれかに、例えば、２本のハンドル操作具９を螺合することにより、作業者がその２本のハンドル操作具９を把持して掘削具１を操作できるように構成されている。また、半割り部材２，３の挿入孔８は、少なくともいずれか一方に掘削刃１０を挿入配置するためのもので、各挿入孔８は、図５に詳しく示すように、小径孔８ａと大径孔８ｂからなり、両孔８ａ，８ｂの間には段部８ｃが設けられている。
【００１８】
掘削刃１０は、図１および図５に示すように、小径の回転軸１０ａとその回転軸１０ａの先端に連設された大径の掘削軸１０ｂからなる棒状で、その長手方向軸心を回転中心軸Ｌとして回転する掘削刃で構成され、回転軸１０ａと掘削軸１０ｂの間には段部１０ｃが設けられ、回転軸１０ａの端部は雄ねじ１１に構成されている。
掘削刃１０の回転軸１０ａは、挿入孔８の小径孔８ａより多少小径に設定され、掘削軸１０ｂは、大径孔８ｂより多少小径に設定されていて、掘削刃１０の回転軸１０ａ側を挿入孔８の大径孔８ｂ側から挿入すると、掘削刃１０の段部１０ｃが挿入孔８の段部８ｃに当接するように構成され、掘削刃１０の掘削軸１０ｂの先端と先端周部は、多数のダイヤモンドの粒からなる掘削部１２に形成されている。
【００１９】
掘削刃１０は、掘削具本体４と別体に構成された駆動手段としての電動モータ１３により回転駆動され、フレキシブルな回転力伝達部材としてのフレキシブルシャフト１４を介して電動モータ１３に連動連結されている。
すなわち、電動モータ１３に連動連結されたフレキシブルシャフト１４は、フレキシブルな被覆筒により被覆されて、その先端に回転軸１０ａの雄ねじ１１が螺合する雌ねじ１５ａを有するチャック１５が取り付けられている。回転軸１０ａの雄ねじ１１とチャック１５の雌ねじ１５ａは、電動モータ１３によるフレキシブルシャフト１４および掘削刃１０の回転方向とは逆方向のねじで構成され、掘削刃１０の回転に伴って雄ねじ１１が徐々に螺合方向へ回転するため、雄ねじ１１の螺合を規制するストッパ１６がチャック１５に設けられている。
【００２０】
つぎに、上述した掘削具１を使用して配管Ｐを補修する補修方法について説明する。
例えば、補修対象となる配管Ｐが、図２に示すように、建築物の床を貫通して上方へ延出している場合であれば、半割り部材２，３の挿入孔８の大径孔８ｂが下方に位置するようにして、両半割り部材２，３を配管Ｐに外嵌してボルト５により互いに連結する。
つまり、把持部６によって配管Ｐを外嵌するのであり、それによって、掘削具本体４は、配管Ｐの中心軸ＰＬに沿って上下に移動可能で、かつ、配管Ｐの中心軸ＰＬ周りに回転可能な状態で配管Ｐに取り付けられる。
また、半割り部材２，３の挿入孔８のいずれか一方に対し、挿入孔８の下方から掘削刃１０の回転軸１０ａ側を上にして掘削刃１０を挿入する。それによって、掘削刃１０は、その回転中心軸Ｌが配管Ｐの中心軸ＰＬにほぼ平行となり、掘削刃１０の雄ねじ１１とチャック１５の雌ねじ１５ａを螺合して、掘削刃１０と電動モータ１３を連動連結する。
【００２１】
その後、電動モータ１３を起動させて掘削刃１０を回転駆動させるとともに、ハンドル操作具９を把持して掘削具本体４を下方へ移動させる。それによって、図５に示すように、掘削刃１０の段部１０ｃが挿入孔８の段部８ｃに当接するため、掘削具本体４をさらに下方へ移動させることにより、掘削刃１０先端の掘削部１２が配管Ｐの被貫通部材である床材Ｆに押し付けられて床材Ｆを掘削する。
このように、掘削刃１０を回転駆動させながら、掘削具本体４を配管Ｐの中心軸ＰＬに沿って下方へ移動させて掘削刃１０の掘削部１２を床材Ｆに押し付け、さらに、掘削具本体４を配管Ｐの中心軸ＰＬの周りに回転させることによって、図３に示すように、配管Ｐの周囲に位置する床材Ｆを確実に掘削することができ、その後、配管Ｐの周囲の床材Ｆを除去して、配管Ｐの補修対象部位ＰＸを露出させる。
【００２２】
その後、補修対象部位ＰＸやその周辺を浄化し、図４に示すように、補修対象部位ＰＸの状況に応じて、例えば、軽度の腐食であれば、補修材１７として塗料を使用し、また、腐食が進んでいれば、補修材１７として金属粉入りのエポキシ樹脂製パテを使用して、補修対象部位ＰＸとその周辺を被覆して補修する。
そして、補修した配管Ｐと床材Ｆとの間の隙間にモルタル、シリコンコーキング、水膨潤性ゴム、各種の樹脂などの充填材１８を充填し、さらに、配管Ｐの周りに樹脂製化粧板１９を外嵌し、樹脂製化粧板１９により充填材１８の表面を覆って、配管Ｐの補修を完了する。
【００２３】
〔別実施形態〕
（１）先の実施形態では、掘削具本体４の把持部６を配管Ｐに外嵌した状態で、掘削刃１０の回転中心軸Ｌが配管Ｐの中心軸ＰＬとほぼ平行になるように構成した掘削具１を示したが、掘削刃１０の掘削軸１０ｂ側が配管Ｐに近接し、回転軸１０ａ側が配管Ｐから遠ざかる方向へ若干傾斜するように配置して構成することもできる。
また、電動モータ１３を掘削具本体４と別体に構成した例を示したが、電動モータ１３を掘削具本体４に取り付けて、掘削刃１０と電動モータ１３を直接連動連結することもできる。
【００２４】
（２）先の実施形態では、配管Ｐの周りに樹脂製化粧板１９を外嵌し、充填材１８の表面を覆って補修する方法を示したが、補修対象となる配管Ｐの種類や使用目的、あるいは、周辺の状況によっては、樹脂製化粧板１９を使用せずに補修することも可能である。
なお、本発明の対象となる配管Ｐは、ガス管や下水道管をはじめとして、各種の流体を通流させるための管のみならず、流体を通流させない管、具体的には、ベランダなどに設けられる支柱用の管なども含むものとし、さらに、その配管Ｐが、先の実施形態のように建築物の床を貫通する場合に限らず、側壁や天井などを貫通する場合、さらには、床や壁などを貫通することなく単に埋設されている場合にも適用することができる。
【図面の簡単な説明】
【００２５】
【図１】配管補修用掘削具の分解斜視図
【図２】配管補修方法の工程を示す説明図
【図３】配管補修方法の工程を示す説明図
【図４】配管補修方法の工程を示す説明図
【図５】配管補修用掘削具の要部の断面図
【符号の説明】
【００２６】
１      掘削具
４      掘削具本体
６      把持部
１０    掘削刃
１２    掘削部
１３    駆動手段
１４    回転力伝達部材
１７    補修材
１８    充填材
１９    樹脂製化粧板
Ｌ      掘削刃の回転中心軸
Ｐ      配管
ＰＬ    配管の中心軸
ＰＸ    配管の補修対象部位
Ｆ      被貫通部材
【図１】
2007223165.tif 000003
【図２】
2007223165.tif 000004
【図３】
2007223165.tif 000005
【図４】
2007223165.tif 000006
【図５】
2007223165.tif 000007